(57)【要約】【課題】  装置本体内に、静電潜像が形成される像担持体と、この像担持体に形成された潜像を現像する複数の現像装置が軸心を中心にして回転可能に設けられた回転式現像装置とを備えた画像形成装置において、装置本体内の加熱された気体等を、排気装置を別個に設けなくても、簡単に装置本体外に排出できるようにする。【解決手段】  装置本体10内に、静電潜像が形成される像担持体1と、この像担持体に形成された潜像を現像するのに用いる複数の現像装置40A〜40Dが軸心を中心にして回転可能に設けられた回転式現像装置40とを備えた画像形成装置において、回転式現像装置の外周部に気体を収容させる空間部43を形成し、回転式現像装置の回転により上記の空間部における気体を順次送り出し、装置本体内の気体を装置本体外に排出させる。【選択図】  図３
2007140222.tif 000002
【特許請求の範囲】
【請求項１】
装置本体内に、静電潜像が形成される像担持体と、この像担持体に形成された潜像を現像するのに用いる複数の現像装置が軸心を中心にして回転可能に設けられた回転式現像装置とを備えた画像形成装置において、上記の回転式現像装置の外周部に気体を収容させる空間部を形成し、この回転式現像装置の回転により上記の空間部における気体を順次送り出し、装置本体内の気体を装置本体外に排出させることを特徴とする画像形成装置。
【請求項２】
請求項１に記載した画像形成装置において、上記の空間部として、上記の各現像装置の外周部に凹部を形成したことを特徴とする画像形成装置。
【請求項３】
請求項１又は請求項２に記載した画像形成装置において、上記の装置本体内に存在する熱発生源からの熱によって加熱された気体を、上記の回転式現像装置の回転により装置本体外に排出させることを特徴とする画像形成装置。
【請求項４】
請求項１〜請求項３の何れか１項に記載した画像形成装置において、上記の装置本体内に仕切り部材を設けて、上記の回転式現像装置を含む領域を区画させ、このように区画された回転式現像装置を含む領域内に気体を導入させる導入部を設けると共に、この導入部よりも上記の回転式現像装置の回転方向下流側に、上記の領域内における気体を装置本体外に排出させる排出部を設けたことを特徴とする画像形成装置。
【請求項５】
請求項４に記載した画像形成装置において、上記の排出部に、上記の回転する回転式現像装置の外周部に沿って揺動する揺動部材を設けたことを特徴とする画像形成装置。
【請求項６】
請求項４又は請求項５に記載した画像形成装置において、上記の導入部に、上記の回転する回転式現像装置の外周部に沿って揺動する第２の揺動部材を設けたことを特徴とする画像形成装置。
【請求項７】
請求項４〜請求項６の何れか１項に記載した画像形成装置において、上記の導入部の近傍に熱発生源を設け、この熱発生源からの熱によって加熱された気体を、導入部を通して上記の仕切り部材により区画された回転式現像装置を含む領域内に導入させることを特徴とする画像形成装置。
【発明の詳細な説明】
【技術分野】
【０００１】
本発明は、電子写真方式の複写機やプリンター等の画像形成装置に係り、特に、装置本体内に、静電潜像が形成される像担持体と、この像担持体に形成された潜像を現像するのに用いる複数の現像装置が軸心を中心にして回転可能に設けられた回転式現像装置とを備えた画像形成装置に関するものである。
【背景技術】
【０００２】
複写機やプリンター等の画像形成装置において、画像形成を行うにあたっては、一般に図１に示すように、装置本体１０内に設けられたドラム状になった像担持体１を回転させ、この像担持体１の表面を帯電装置２によって帯電させた後、帯電された像担持体１に対して露光装置３により画像信号に従った露光を行い、この像担持体１の表面に静電潜像を形成するようにしている。そして、このように静電潜像が形成された像担持体１の表面に現像装置４からトナーを供給して、この像担持体１の表面にトナー像を形成し、このトナー像を転写装置５により記録シート６に転写させ、このようにトナー像が転写された記録シート６を定着装置７に導き、この定着装置７によりトナー像を記録シート６に定着させる一方、トナー像が転写された後の像担持体１の表面に残留するトナーをクリーニング装置８によって像担持体１の表面から除去するようにしている。
【０００３】
ここで、上記のようにして画像形成を行う場合、装置本体１０内に設けられた上記の露光装置３等が発熱して装置本体１０内の温度が上昇したり、上記の帯電装置２によって像担持体１の表面を帯電させる際にオゾンが発生して、装置本体１０内にオゾンが蓄積されたりするという問題があった。
【０００４】
このため、従来においては、上記のような画像形成装置にファン等の排気装置を設け、この排気装置により装置本体内において発生した熱やオゾン等を装置本体外に強制的に排気させるようにしたものが提案されている（例えば、特許文献１参照。）。
【０００５】
しかし、このように画像形成装置に排気装置を設けて、装置本体内において発生した熱やオゾン等を装置本体外に強制的に排出させる場合、装置が大型化したり、ランニングコストが高くついたりするという問題があった。
【０００６】
また、近年においては、フルカラーの画像形成を行う画像形成装置として、図２に示すように、色彩の異なるトナーを収容させた複数の現像装置４Ａ〜４Ｄを回転可能な支持体４１に保持させた回転式現像装置４０を用い、上記の支持体４１により回転式現像装置４０を回転させて、各現像装置４Ａ〜４Ｄを順々に像担持体１と対向する位置に導き、各現像装置４Ａ〜４Ｄから各色のトナーを像担持体１に順々に供給し、このように像担持体１に供給されたトナーを順々に中間転写ベルト９に転写させて、この中間転写ベルト９の上にフルカラーのトナー像を形成した後、この中間転写ベルト９からフルカラーのトナー像を転写装置５により記録紙等の記録シート６に転写させ、このように転写されたフルカラーのトナー像を定着装置７によって記録シート６に定着させるようにしたものが用いられている。
【０００７】
しかし、このようなフルカラーの画像形成を行う画像形成装置において、上記のように排気装置を設けて、装置本体内において発生した熱やオゾン等を装置本体外に強制的に排出させるようにした場合、さらに装置が大型化するという問題があった。
【特許文献１】特開２００３−２８０４９４号公報
【発明の開示】
【発明が解決しようとする課題】
【０００８】
本発明は、複写機やプリンター等の画像形成装置における上記のような問題を解決することを課題とするものであり、特に、装置本体内に、静電潜像が形成される像担持体と、この像担持体に形成された潜像を現像するのに用いる複数の現像装置が軸心を中心にして回転可能に設けられた回転式現像装置とを備えた画像形成装置により画像形成を行うにあたり、装置本体内に設けられた露光装置等が発熱したり、帯電装置により像担持体の表面を帯電させる際にオゾンが発生した場合等において、排気装置を別個に設けなくても、装置本体内において発生した熱やオゾン等を、装置本体外に簡単に排出できるようにすることを課題とするものである。
【課題を解決するための手段】
【０００９】
本発明における画像形成装置においては、上記のような課題を解決するため、装置本体内に、静電潜像が形成される像担持体と、この像担持体に形成された潜像を現像するのに用いる複数の現像装置が軸心を中心にして回転可能に設けられた回転式現像装置とを備えた画像形成装置において、上記の回転式現像装置の外周部に気体を収容させる空間部を形成し、この回転式現像装置の回転により上記の空間部における気体を順次送り出し、装置本体内の気体を装置本体外に排出させるようにした。
【００１０】
ここで、回転式現像装置の外周部に空間部を形成するにあたっては、回転式現像装置における上記の各現像装置の外周部に凹部を形成させることができる。
【００１１】
また、上記のようにして装置本体内の気体を装置本体外に排出させる場合、装置本体内に存在する熱発生源からの熱によって加熱された気体を排出させるようにすることができる。
【００１２】
また、上記の画像形成装置においては、上記の装置本体内に仕切り部材を設けて、上記の回転式現像装置を含む領域を区画させ、このように区画された回転式現像装置を含む領域内に気体を導入させる導入部を設けると共に、この導入部よりも上記の回転式現像装置の回転方向下流側に、上記の領域内における気体を装置本体外に排出させる排出部を設けることが好ましい。
【００１３】
また、上記の排出部において、回転する回転式現像装置の外周部に沿って揺動する揺動部材を設けるようにしたり、上記の導入部において、回転する回転式現像装置の外周部に沿って揺動する第２の揺動部材を設けるようにすることが好ましい。
【発明の効果】
【００１４】
この発明における画像形成装置においては、上記のように複数の現像装置が軸心を中心にして回転可能に設けられた回転式現像装置の外周部に気体を収容させる空間部を形成し、この回転式現像装置の回転により上記の空間部における気体を順次送り出し、装置本体内の気体を装置本体外に排出させるようにしたため、排気装置を別個に設けなくても、装置本体内において発生した熱により加熱された気体等を装置本体外に簡単に排出させることができ、装置が大型化したり、ランニングコストが高くつくということがなくなる。
【００１５】
また、上記の画像形成装置において、上記の装置本体内に仕切り部材を設けて、上記の回転式現像装置を含む領域を区画させ、このように区画された回転式現像装置を含む領域内に気体を導入させる導入部を設けると共に、この導入部よりも上記の回転式現像装置の回転方向下流側に、上記の領域内における気体を装置本体外に排出させる排出部を設けると、上記の回転式現像装置の回転により、装置本体内における加熱された気体等が吸引されるようにして、上記の導入部を通してこの回転式現像装置の空間部内に導かれ、この空間部内における加熱された気体等が回転式現像装置の回転により順次排出部に導かれて排出されるようになり、加熱された気体等が効率よく装置本体外に排出されるようになる。
【００１６】
また、上記の排出部において、回転する回転式現像装置の外周部に沿って揺動する揺動部材を設けると、この揺動部材の揺動によって上記の排出部における空間の容積が変化し、揺動部材の揺動により排出部の空間が広くなった状態では、回転式現像装置の空間部内における加熱された気体等が排出部に効率よく導かれる一方、揺動部材の揺動により排出部の空間が狭くなった状態では、上記のように排出部に導かれた加熱された気体等がこの排出部を通して装置本体外に効率よく排出されるようになる。
【００１７】
また、上記の導入部に回転する回転式現像装置の外周部に沿って揺動する第２の揺動部材を設けると、この第２の揺動部材の揺動によって上記の導入部における空間の容積が変化し、第２の揺動部材により空間が狭くなった状態にある導入部に加熱された気体等が導かれた後、この第２の揺動部材が揺動して導入部の空間が広くなると、上記の加熱された気体等が広くなった導入部を通して回転式現像装置の空間部内に効率よく導かれるようになる。
【発明を実施するための最良の形態】
【００１８】
次に、この発明の実施形態に係る画像形成装置を添付図面に基づいて具体的に説明する。なお、この発明に係る画像形成装置は、下記の実施形態に示したものに限定されず、その要旨を変更しない範囲において適宜変更して実施できるものである。
【００１９】
（実施形態１）
この実施形態１に係る画像形成装置においては、図３に示すように、装置本体１０内に、色彩の異なるトナー、例えば黄色，マゼンダ色，シアン色，黒色のトナーを収容させた４つの現像装置４０Ａ〜４０Ｄを軸心となる回転軸４２を中心にして回転可能に保持させた回転式現像装置４０を設け、この回転軸４２を中心にして、図４及び図５に示すように、この回転式現像装置４０を反時計回りに回転させて、各現像装置４０Ａ〜４０Ｄを順々に像担持体１と対向する位置に導くようにしている。
【００２０】
そして、この実施形態１における画像形成装置においては、上記の回転式現像装置４０の外周部に気体を収容させる空間部４３を形成するにあたり、上記の各現像装置４０Ａ〜４０Ｄの外周部に凹部４３を形成している。
【００２１】
また、上記の画像形成装置においては、上記の装置本体１０内に仕切り部材１１を設けて、上記の回転式現像装置４０を含む領域を区画させ、このように区画された回転式現像装置４０を含む領域に、装置本体１０内の気体を導入する導入部１２を設けると共に、この導入部１２の近傍に、装置本体１０外の外気を上記の領域内に導入させる外気取入部１３を設ける一方、この導入部１２よりも上記の回転式現像装置４０の回転方向下流側に、上記の領域内における気体を装置本体１０外に排出させる排出部１４を設けている。
【００２２】
さらに、上記の画像形成装置においては、上記の排出部１４に回転式現像装置４０の外周部に沿って揺動する揺動部材１５を設けている。そして、この揺動部材１５は回転式現像装置４０の外周部、特にその凹部４３の形状に追随して揺動するようになっている。ここで、この実施形態においては、仕切り部材１１に対向する壁面（排出部１４を介した反対側の壁面）に上記の揺動部材１５の回転中心軸が設けられており、この揺動部材１５の先端が回転式現像装置４０の外周部に接触している。従って、回転式現像装置４０の回転に伴ってこの揺動部材１５が揺動し、排出部１４における揺動部材１５と仕切り部材１１とによって囲まれる空間の容積が変化するようになっている。
【００２３】
また、上記の導入部１２の下に露光装置３を設けると共に、この導入部１２に回転式現像装置４０の外周部に沿って揺動する第２の揺動部材１６を設けている。そして、この第２の揺動部材１６も回転式現像装置４０の外周部、特にその凹部４３の形状に追随して揺動するようになっている。ここで、この実施形態においては、上記の導入部１２における仕切り部材１１に、この第２の揺動部材１６の回転中心軸が設けられており、この第２の揺動部材１６の先端が回転式現像装置４０の外周部に接触している。従って、回転式現像装置４０の回転に伴ってこの第２の揺動部材１６が揺動し、第２の揺動部材１６と仕切り部材１１とによって囲まれる導入部１２における空間の容積が変化するようになっている。そして、このように第２の揺動部材１６と仕切り部材１１とによって囲まれる空間の容積が変化することにより負圧が発生し、効率よく気体を導入できるようになる。
【００２４】
ここで、この画像形成装置によりフルカラーの画像形成を行うにあたっては、上記の回転式現像装置４０において所定の色彩のトナーを収容させた第１の現像装置４０Ａを像担持体１と対向するように位置させ、像担持体１を回転させて、像担持体１の表面を帯電装置２によって帯電させ、このように帯電された像担持体１に対して露光装置３により画像信号に従った露光を行って、この像担持体１の表面に静電潜像を形成する。
【００２５】
そして、このように静電潜像が形成された像担持体１と上記の第１の現像装置４０Ａとが対向する現像領域において、この第１の現像装置４０Ａから黄色のトナーを像担持体１に形成された静電潜像部分に供給して、像担持体１に静電潜像に対応した黄色のトナー像を形成し、このように像担持体１に形成された黄色のトナー像を、像担持体１の上方において架け渡された中間転写ベルト９に転写させる。
【００２６】
その後は、上記の回転軸４２を中心にして回転式現像装置４０を回転させて、マゼンダ色のトナーが収容された第２の現像装置４０Ｂを像担持体１と対向するように位置させ、上記の第１の現像装置４０Ａの場合と同様にして、像担持体１の表面にマゼンダ色のトナー像を形成し、このマゼンダ色のトナー像を黄色のトナー像が転写された上記の中間転写ベルト９に転写させる。そして、同様の操作を行って、シアン色のトナーが収容された第３の現像装置４０Ｃにより像担持体１の表面にシアン色のトナー像を形成し、このシアン色のトナー像を上記の中間転写ベルト９に転写させ、次に黒色のトナーが収容された第４の現像装置４０Ｄにより像担持体１の表面に黒色のトナー像を形成し、この黒色のトナー像を上記の中間転写ベルト９に転写させ、この中間転写ベルト９の上に、黄色，マゼンダ色，シアン色，黒色の各トナー像が転写されてなるフルカラーのトナー像を形成する。
【００２７】
そして、この画像形成装置の下部に設けられた用紙カセット６ａから記録シート６を、送りローラ１９によって中間転写ベルト９と転写装置５とが対向する部分に導き、中間転写ベルト９に形成されたフルカラーのトナー像を記録シート６に転写させ、このように記録シート６上に転写されたフルカラーのトナー像を定着装置７により記録シート６に定着させて排紙させるようになっている。
【００２８】
ここで、この実施形態１の画像形成装置において、上記のように回転軸４２を中心にして回転式現像装置４０を回転させ、４つの現像装置４０Ａ〜４０Ｄを順々に像担持体１と対向する位置に導くようにした場合、各現像装置４０Ａ〜４０Ｄによって像担持体１に形成された静電潜像を現像している状態では、例えば図４に示すように、上記の排出部１４においては、この排出部１４に設けられた揺動部材１５の端部が上記の回転式現像装置４０における第１の現像装置４０Ａの外周部に設けられた凹部４３に接触して、排出部１４における空間が広くなった状態になる。また、上記の導入部１２においては、この導入部１２に設けられた第２の揺動部材１６の端部が上記の回転式現像装置４０における第２の現像装置４０Ｂの外周部に設けられた凹部４３に接触して、導入部１２における空間が広くなり、このように空間が広くなった導入部１２に、上記の露光装置３によって加熱された気体が導かれ、この導入部１２を通して加熱された気体が第２の現像装置４０Ｂの外周部に設けられた凹部４３内に導かれるようになる。
【００２９】
次いで、上記のように回転軸４２を中心にして回転式現像装置４０を回転させて、第２の現像装置４０Ｂを像担持体１と対向する位置に導く途中においては、図５に示すように、上記の排出部１４において、この排出部１４に設けられた揺動部材１５の端部が、上記の第１の現像装置４０Ａの外周部に沿ってその凹部４３から突出された外周部に移動し、これに伴って上記の揺動部材１５が揺動し、上記の広くなった状態にある排出部１４の空間が狭くなる。この結果、この排出部１４の空間に存在していた気体が排出部１４から装置本体１０外に排出されるようになり、この気体が加熱された気体である場合には加熱された気体が装置本体１０外に排出されるようになる。また、上記の導入部１２においては、この導入部１２に設けられた第２の揺動部材１６の端部が、上記の第２の現像装置４０Ｂの外周部に沿ってその凹部４３から突出された外周部に移動し、これに伴って上記の第２の揺動部材１６が揺動し、上記の広くなった状態にある導入部１２の空間が狭くなると共に、上記のように第２の現像装置４０Ｂにおける凹部４３内に導かれた加熱された気体が上記の排出部１４側に送られるようになる。
【００３０】
そして、上記の回転式現像装置４０がさらに回転されて、第２の現像装置４０Ｂが像担持体１と対向する位置に導かれると、前記の図４に示した場合と同様に、上記の排出部１４に設けられた揺動部材１５の端部が第２の現像装置４０Ｂの外周部に設けられた凹部４３に接触して、排出部１４における空間が広くなり、このように広くなった排出部１４に、上記の第２の現像装置４０Ｂの凹部４３内に収容された加熱された気体が導かれるようになる。また、上記の導入部１２に設けられた第２の揺動部材１６の端部が第３の現像装置４０Ｃの外周部に設けられた凹部４３に接触して、狭くなっていた上記の導入部１２における空間が広くなり、導入部１２に溜まっている加熱された気体が吸引されるようにして第３の現像装置４０Ｃの外周部に設けられた凹部４３内に導かれるようになる。
【００３１】
そして、上記の回転式現像装置４０が回転するたびに、導入部１２に溜まっている加熱された気体が上記のようにして各現像装置４０Ａ〜４０Ｄの凹部４３内に順々に導かれると共に、このように各現像装置４０Ａ〜４０Ｄの凹部４３内に導かれた加熱された気体が順々に排出部１４に導かれて装置本体１０外に排出されるようになり、従来のように、別個に排気装置を設けなくても、装置本体１０内における加熱された気体が適切に装置本体１０外に排出されるようになる。
【００３２】
なお、この実施形態１における画像形成装置においては、上記の回転式現像装置４０を回転させて、露光装置３により加熱された気体を装置本体１０外に排出させるようにしたが、前記の定着装置７により加熱された気体を装置本体１０外に排出させるようにすることも可能である。
【００３３】
（実施形態２）
この実施形態２に係る画像形成装置においても、図６に示すように、上記の実施形態１の場合と同様に、装置本体１０内に、色彩の異なるトナー、例えば黄色，マゼンダ色，シアン色，黒色のトナーを収容させた４つの現像装置４０Ａ〜４０Ｄを軸心となる回転軸４２を中心にして回転可能に保持させた回転式現像装置４０を設けており、上記の回転軸４２を中心にして回転式現像装置４０を回転させるにあたり、この実施形態２においては、図７及び図８に示すように、上記の回転式現像装置４０を、実施形態１の場合とは逆の時計回りに回転させて、各現像装置４０Ａ〜４０Ｄを順々に像担持体１と対向する位置に導くようにしている。
【００３４】
また、この実施形態２における画像形成装置においても、上記の実施形態１の場合と同様に、上記の回転式現像装置４０の外周部に気体を収容させる空間部４３を形成するにあたり、上記の各現像装置４０Ａ〜４０Ｄの外周部に凹部４３を形成している。
【００３５】
そして、この実施形態２における画像形成装置においては、上記の装置本体１０内に仕切り部材１１を設け、この仕切り部材１１により上記の回転式現像装置４０とオゾンを発生するオゾン発生源となる帯電装置２とを含む領域を区画させ、このように回転式現像装置４０と帯電装置２とを含む領域内に外気を導入させる外気取入部１３を設ける一方、この外気取入部１３よりも上記の回転式現像装置４０の回転方向下流側に、上記の領域内における気体を装置本体１０外に排出させる排出部１４を設けている。
【００３６】
また、この実施形態２の画像形成装置においても、上記の実施形態１の場合と同様に、上記の排出部１４に揺動部材１５を設け、この揺動部材１５の先端を上記の回転式現像装置４０の外周部に接触させ、回転式現像装置４０の回転に伴ってこの揺動部材１５が揺動し、この排出部１４における空間の容積が変化するようにしている。
【００３７】
また、この実施形態２の画像形成装置においては、上記の外気取入部１３に回転式現像装置４０の外周部に沿って揺動する第３の揺動部材１７を設けている。そして、この第３の揺動部材１７は回転式現像装置４０の外周部、特にその凹部４３の形状に追随して揺動するようになっている。ここで、この実施形態においては、仕切り部材１１に対向する壁面（外気取入部１３を介した反対側の壁面）に上記の第３の揺動部材１７の回転中心軸が設けられており、この第３の揺動部材１７の先端が回転式現像装置４０の外周部に接触している。従って、回転式現像装置４０の回転に伴ってこの第３の揺動部材１７が揺動し、外気取入部１３において第３の揺動部材１７と仕切り部材１１とによって囲まれる空間の容積が変化するようになっている。そして、このように第３の揺動部材１７と仕切り部材１１とによって囲まれる空間の容積が変化することにより負圧が発生し、効率よく外気を導入できるようになる。
【００３８】
さらに、この画像形成装置においては、上記の外気取入部１３と排出部１４との間において、上記の外気取入部１３から導入された外気を上記の帯電装置２に導く案内部材１８を設け、この案内部材１８における揺動部１８ａの端部を上記の回転式現像装置４０の外周部に接触させ、回転式現像装置４０の回転に伴ってこの案内部材１８における揺動部１８ａが揺動するようにしている。
【００３９】
そして、この画像形成装置によりフルカラーの画像形成を行うにあたっては、上記の実施形態１の場合と回転式現像装置４０の回転方向を変更させる以外は、実施形態１の画像形成装置の場合と同様にし、回転式現像装置４０において所定の色彩のトナーを収容させた第１の現像装置４０Ａを像担持体１と対向するように位置させ、像担持体１を回転させて、像担持体１の表面を帯電装置２によって帯電させ、このように帯電された像担持体１に対して露光装置３により画像信号に従った露光を行って、この像担持体１の表面に静電潜像を形成する。
【００４０】
そして、このように静電潜像が形成された像担持体１と上記の第１の現像装置４０Ａとが対向する現像領域において、この第１の現像装置４０Ａから黄色のトナーを像担持体１に形成された静電潜像部分に供給して、像担持体１に静電潜像に対応した黄色のトナー像を形成し、このように像担持体１に形成された黄色のトナー像を、像担持体１の上方において架け渡された中間転写ベルト９に転写させる。
【００４１】
その後は、上記の回転軸４２を中心にして回転式現像装置４０を回転させて、マゼンダ色のトナーが収容された第２の現像装置４０Ｂを像担持体１と対向するように位置させ、上記の第１の現像装置４０Ａの場合と同様にして、像担持体１の表面にマゼンダ色のトナー像を形成し、このマゼンダ色のトナー像を黄色のトナー像が転写された上記の中間転写ベルト９に転写させる。そして、同様の操作を行って、シアン色のトナーが収容された第３の現像装置４０Ｃにより像担持体１の表面にシアン色のトナー像を形成し、このシアン色のトナー像を上記の中間転写ベルト９に転写させ、次に黒色のトナーが収容された第４の現像装置４０Ｄにより像担持体１の表面に黒色のトナー像を形成し、この黒色のトナー像を上記の中間転写ベルト９に転写させ、この中間転写ベルト９の上に、黄色，マゼンダ色，シアン色，黒色の各トナー像が転写されてなるフルカラーのトナー像を形成する。
【００４２】
そして、この画像形成装置の下部に設けられた用紙カセット６ａから記録シート６を、送りローラ１９によって中間転写ベルト９と転写装置５とが対向する部分に導き、中間転写ベルト９に形成されたフルカラーのトナー像を記録シート６に転写させ、このように記録シート６上に転写されたフルカラーのトナー像を定着装置７により記録シート６に定着させて排紙させるようになっている。
【００４３】
ここで、この実施形態２の画像形成装置において、上記のように回転軸４２を中心に回転式現像装置４０を回転させて、４つの現像装置４０Ａ〜４０Ｄを順々に像担持体１と対向する位置に導くようにした場合、各現像装置４０Ａ〜４０Ｄによって像担持体１に形成された静電潜像を現像している状態では、例えば図７に示すように、上記の排出部１４においては、この排出部１４に設けられた揺動部材１５の端部が第３の現像装置４０Ｃの外周部に設けられた凹部４３に接触して、排出部１４における空間が広くなった状態になる。また、上記の外気取入部１３においては、この外気取入部１３に設けられた第３の揺動部材１７の端部が第１の現像装置４０Ａの外周部に設けられた凹部４３に接触して、外気取入部１３における空間が広くなった状態になる。そして、このように空間が広くなった外気取入部１３に外気が導入されて、この外気が上記の第１の現像装置４０Ａに設けられた凹部４３内に導かれるようになる。さらに、上記の案内部材１８における揺動部１８ａの端部が第４の現像装置４０Ｄの外周部に設けられた凹部４３に接触して、上記の帯電装置２と回転式現像装置４０との間の流路が広くなり、帯電装置２側に存在するオゾンを含む気体が上記の第４の現像装置４０Ｄの凹部４３内に導かれるようになる。
【００４４】
次いで、上記のように回転軸４２を中心に回転式現像装置４０を回転させて、第２の現像装置４０Ｂを像担持体１と対向する位置に導く途中においては、図８に示すように、上記の排出部１４において、この排出部１４に設けられた揺動部材１５の端部が、上記の第３の現像装置４０Ｃの凹部４３から突出された外周部を通って第４の現像装置４０Ｄの外周部に移動し、これに伴って上記の揺動部材１５が揺動し、広い状態にあった排出部１４の空間が狭くなる。この結果、この排出部１４の空間に存在していた気体がこの排出部１４から装置本体１０外に排出され、この気体中にオゾンが含まれている場合にはオゾンを含む気体が装置本体１０外に排出されるようになる。また、上記の外気取入部１３においては、この外気取入部１３に設けられた第３の揺動部材１７の端部が、上記の第１の現像装置４０Ａの凹部４３から突出された外周部を通って第２の現像装置４０Ｂの外周部に移動し、これに伴って上記の第３の揺動部材１７が揺動し、広い状態にあった外気取入部１３の空間が狭くなる。さらに、上記の案内部材１８における揺動部１８ａの端部が、第４の現像装置４０Ｄの外周部に設けられた凹部４３から突出された外周部を通って第１の現像装置４０Ａの外周部に移動し、第１の現像装置４０Ａの凹部４３内に収容されていた気体がこの案内部材１８により帯電装置２側に導かれると共に、この案内部材１８における揺動部１８ａが揺動し、上記の帯電装置２と回転式現像装置４０との間の流路が狭くなって、オゾンを含む気体が上記の第４の現像装置４０Ｄの凹部４３内に収容された状態になる。
【００４５】
そして、上記の回転式現像装置４０がさらに回転されて、第２の現像装置４０Ｂが像担持体１と対向する位置に導かれると、前記の図７に示した場合と同様に、上記の排出部１４に設けられた揺動部材１５の端部が第４の現像装置４０Ｄの外周部に設けられた凹部４３に接触し、排出部１４における空間が広くなった状態になり、このように広くなった排出部１４の空間に上記の第４の現像装置４０Ｄの凹部４３内に収容されたオゾンを含む気体が導かれるようになる。また、上記の外気取入部１３においては、この外気取入部１３に設けられた第３の揺動部材１７の端部が第２の現像装置４０Ｂの外周部に設けられた凹部４３に接触して、外気取入部１３における空間が広くなり、このように広くなった外気取入部１３に外気が吸引されるようにして導入され、この外気が第２の現像装置４０Ｂに設けられた凹部４３内に導かれるようになる。さらに、上記の案内部材１８における揺動部１８ａの端部が第１の現像装置４０Ａの外周部に設けられた凹部４３に接触して、上記の帯電装置２と回転式現像装置４０との間の流路が広くなり、帯電装置２側に存在するオゾンを含む気体が上記の第１の現像装置４０Ａの凹部４３内に導かれるようになる。
【００４６】
そして、上記のように回転式現像装置４０が回転するたびに、外気取入部１３から外気が各現像装置４０Ａ〜４０Ｄの凹部４３内に順々に導かれ、このように各現像装置４０Ａ〜４０Ｄの凹部４３内に導かれた気体が案内部材１８を介して順々に帯電装置２側に送られ、この帯電装置２側に存在するオゾンを含む気体が各現像装置４０Ａ〜４０Ｄの凹部４３内に順々に収容されて排出部１４に導かれ、この排出部１４を通してオゾンを含む気体が装置本体１０外に排出されるようになり、従来のように、別個に排気装置を設けなくても、装置本体１０内におけるオゾンを含む気体が適切に装置本体１０外に排出されるようになる。
【００４７】
なお、上記の各実施形態における画像形成装置においては、回転式現像装置４０として、各現像装置４０Ａ〜４０Ｄを軸心となる回転軸４２を中心にして回転可能に保持させたものを用いたが、図２に示した従来の画像形成装置のように、各現像装置４０Ａ〜４０Ｄを回転可能な支持体４１に保持させるようにすることも可能である。
【００４８】
また、上記の各実施形態における画像形成装置においては、回転式現像装置４０に４個の現像装置４０Ａ〜４０Ｄを設けるようにしたが、設ける現像装置の数は特に限定されず、２〜３個、あるいは５個以上にすることも可能である。また、上記の各実施形態における画像形成装置においては、同じ形態の現像装置を４個設けるようにしたが、現像装置は必ずしも同じ形態である必要はない。
【図面の簡単な説明】
【００４９】
【図１】従来の画像形成装置において、画像形成を行う状態を示した概略断面図である。
【図２】複数の現像装置を回転可能な支持体に保持させた回転式現像装置を用いた従来の画像形成装置において、画像形成を行う状態を示した概略断面図である。
【図３】この発明の実施形態１に係る画像形成装置において、画像形成を行う状態を示した概略断面図である。
【図４】上記の実施形態１に係る画像形成装置において、回転式現像装置における１つの現像装置を像担持体と対向する位置に導いた状態を示した断面説明図である。
【図５】上記の実施形態１に係る画像形成装置において、回転式現像装置における１つの現像装置を像担持体と対向する位置に導く途中の段階を示した断面説明図である。
【図６】この発明の実施形態２に係る画像形成装置において、画像形成を行う状態を示した概略断面図である。
【図７】上記の実施形態２に係る画像形成装置において、回転式現像装置における１つの現像装置を像担持体と対向する位置に導いた状態を示した断面説明図である。
【図８】上記の実施形態２に係る画像形成装置において、回転式現像装置における１つの現像装置を像担持体と対向する位置に導く途中の段階を示した断面説明図である。
【符号の説明】
【００５０】
１  像担持体
２  帯電装置（オゾン発生源）
３  露光装置（熱発生源）
５  転写装置
６  記録シート
６ａ  用紙カセット
７  定着装置
９  中間転写ベルト
１０  装置本体
１１  仕切り部材
１２  導入部
１３  外気取入部
１４  排出部
１５  揺動部材
１６  第２の揺動部材
１７  第３の揺動部材
１８  案内部材
１８ａ  揺動部
４０  回転式現像装置
４０Ａ〜４０Ｄ  現像装置
４１  支持体
４２  回転軸
４３  凹部（空間部）
【図１】
2007140222.tif 000003
【図２】
2007140222.tif 000004
【図３】
2007140222.tif 000005
【図４】
2007140222.tif 000006
【図５】
2007140222.tif 000007
【図６】
2007140222.tif 000008
【図７】
2007140222.tif 000009
【図８】
2007140222.tif 000010